(57)【要約】【課題】使用者が換気連動機能を動作させるか否かを決定可能な加熱調理器を提供する。【解決手段】加熱調理器は、機器上面に載置された被加熱物を加熱する加熱部と、加熱部の加熱動作を開始及び停止するための制御命令が割り当てられた加熱スイッチ（５ａ）を含む操作部と、機器上方に設けられた換気扇の動作を制御するための通信信号を送信する送信部と、加熱スイッチからの制御命令に基づいて加熱部の動作を制御すると共に、加熱スイッチと連動させて換気扇の動作を制御可能な連動モードで送信部を制御する、制御部と、を有する。操作部は、連動モードから、加熱スイッチと連動させた換気扇の動作の制御を行わない非連動モードに切り換えるための制御命令が割り当てられた連動切スイッチ（５ｆ）をさらに有し、制御部は、連動切スイッチからの制御命令を入力したとき、連動モードから非連動モードに移行する。【選択図】図２
2009218107.tif 000002
【特許請求の範囲】
【請求項１】
機器上面に載置された被加熱物を加熱する加熱部と、
前記加熱部の加熱動作を開始及び停止するための制御命令が割り当てられた加熱スイッチを含む操作部と、
機器上方に設けられた換気扇の動作を制御するための通信信号を送信する送信部と、
前記加熱スイッチからの制御命令に基づいて前記加熱部の動作を制御すると共に、前記加熱スイッチと連動させて前記換気扇の動作を制御可能な連動モードで前記送信部を制御する、制御部と、
を有し、
前記操作部は、前記連動モードから、前記加熱スイッチと連動させた前記換気扇の動作の制御を行わない非連動モードに切り換えるための制御命令が割り当てられた連動切スイッチをさらに有し、
前記制御部は、前記連動切スイッチからの制御命令を入力したとき、前記連動モードから前記非連動モードに移行する、加熱調理器。
【請求項２】
前記操作部は、前記非連動モードから前記連動モードに切り換えるための制御命令が割り当てられた連動入スイッチをさらに有し、
前記制御部は、前記非連動モード中に、前記連動入スイッチからの制御命令を入力したとき、前記連動モードに移行する、請求項１に記載の加熱調理器。
【請求項３】
加熱モード中に前記連動入スイッチからの制御命令を入力したとき、前記送信部は、前記換気扇を動作させるための通信信号を送信する、請求項２に記載の加熱調理器。
【請求項４】
前記連動切スイッチと前記連動入スイッチは、一つの連動切／入スイッチで構成され、
前記制御部は、前記非連動モード中に前記連動切／入スイッチから制御命令が入力されると前記連動モードに移行し、前記連動モード中に前記連動切／入スイッチから制御命令が入力されると前記非連動モードに移行する、請求項２又は請求項３に記載の加熱調理器。
【請求項５】
前記操作部の操作を受け付けない電源オフモードと、前記操作部の操作を受け付ける電源オンモードとを切り換えるための電源スイッチをさらに有し、
前記電源スイッチが操作されて、前記電源オフモードから前記電源オンモードに移行したとき、前記制御部は前記連動モードで前記送信部を制御する、請求項１から請求項４のいずれかの請求項に記載の加熱調理器。
【請求項６】
前記操作部の操作を受け付けない電源オフモードと、前記操作部の操作を受け付ける電源オンモードとを切り換えるための電源スイッチと、
前記連動モードで動作するか又は前記非連動モードで動作するかを指示するための連動情報を格納する記憶部と、をさらに有し、
前記制御部は、前記電源オフモードに移行するときの動作モードを前記連動情報として前記記憶部に格納し、前記電源オフモードから前記電源オンモードに移行したときに前記連動情報を前記記憶部から読み出して、前記連動情報に基づいた動作モードで前記送信部を制御する、請求項１から請求項４のいずれかの請求項に記載の加熱調理器。
【請求項７】
前記連動モードで動作しているか、又は前記非連動モードで動作しているかを表示する表示部をさらに有する、請求項１から請求項６のいずれかの請求項に記載の加熱調理器。
【請求項８】
前記連動モードで動作しているか、又は前記非連動モードで動作しているかを報知する報知部をさらに有する、請求項１から請求項７のいずれかの請求項に記載の加熱調理器。
【発明の詳細な説明】
【技術分野】
【０００１】
本発明は、調理容器などの被加熱物を加熱する加熱調理器に関し、特に換気扇の動作を制御可能な加熱調理器に関する。
【背景技術】
【０００２】
近年、鍋などの調理容器を、加熱コイルにより誘導加熱する誘導加熱調理器及びガスにより加熱するガス加熱調理器などの加熱調理器が、一般家庭や業務用のキッチンなどで広く用いられている。これらの加熱調理器には、換気扇と赤外線通信を行って、加熱調理器の動作と連動して換気扇の運転・停止を行うものがある。例えば、特許文献１に記載のガス加熱調理器は、赤外線通信を利用して、加熱動作の開始／停止に合わせて、換気扇のオン／オフを自動で行っている。
【特許文献１】特開２００３−２２２３６４号公報
【発明の開示】
【発明が解決しようとする課題】
【０００３】
使用者の都合や加熱調理器の設置場所などによっては、加熱調理器の加熱動作の開始／停止に合わせた換気扇の自動のオン／オフの機能（以下、「換気連動機能」という）は、好まれない場合がある。しかしながら、従来の換気連動機能を備えた加熱調理器では、使用者が、この換気連動機能を停止させることができなかった。
【０００４】
本発明は、上記問題を解決するものであって、換気連動機能を備えた加熱調理器において、使用者が換気連動機能を動作させるか否かを決定することができる、加熱調理器を提供することを目的とする。
【課題を解決するための手段】
【０００５】
上記目的を達成するために、本発明の加熱調理器は、機器上面に載置された被加熱物を加熱する加熱部と、加熱部の加熱動作を開始及び停止するための制御命令が割り当てられた加熱スイッチを含む操作部と、機器上方に設けられた換気扇の動作を制御するための通信信号を送信する送信部と、加熱スイッチからの制御命令に基づいて加熱部の動作を制御すると共に、加熱スイッチと連動させて換気扇の動作を制御可能な連動モードで送信部を制御する、制御部と、を有する。操作部は、連動モードから、加熱スイッチと連動させた換気扇の動作の制御を行わない非連動モードに切り換えるための制御命令が割り当てられた連動切スイッチをさらに有し、制御部は、連動切スイッチからの制御命令を入力したとき、連動モードから非連動モードに移行することを特徴とする。
【０００６】
操作部は、非連動モードから連動モードに切り換えるための制御命令が割り当てられた連動入スイッチをさらに有してもよい。この場合、制御部は、非連動モード中に、連動入スイッチからの制御命令を入力したとき、連動モードに移行してもよい。
【０００７】
加熱モード中に連動入スイッチからの制御命令を入力したとき、送信部は、換気扇を動作させるための通信信号を送信してもよい。
【０００８】
連動切スイッチと連動入スイッチは、一つの連動切／入スイッチで構成されてもよい。この場合、制御部は、非連動モード中に連動切／入スイッチから制御命令が入力されると連動モードに移行し、連動モード中に連動切／入スイッチから制御命令が入力されると非連動モードに移行してもよい。
【０００９】
上記加熱調理器は、操作部の操作を受け付けない電源オフモードと、操作部の操作を受け付ける電源オンモードとを切り換えるための電源スイッチをさらに有してもよい。この場合、電源スイッチが操作されて、電源オフモードから電源オンモードに移行したとき、制御部は連動モードで送信部を制御してもよい。
【００１０】
上記加熱調理器は、操作部の操作を受け付けない電源オフモードと、操作部の操作を受け付ける電源オンモードとを切り換えるための電源スイッチと、連動モードで動作するか又は非連動モードで動作するかを指示するための連動情報を格納する記憶部と、をさらに有してもよい。この場合、制御部は、電源オフモードに移行するときの動作モードを連動情報として記憶部に格納し、電源オフモードから電源オンモードに移行したときに連動情報を記憶部から読み出して、連動情報に基づいた動作モードで送信部を制御してもよい。
【００１１】
上記加熱調理器は、連動モードで動作しているか、又は非連動モードで動作しているかを表示する表示部をさらに有してもよい。
【００１２】
上記加熱調理器は、連動モードで動作しているか、又は非連動モードで動作しているかを報知する報知部をさらに有してもよい。
【発明の効果】
【００１３】
本発明の加熱調理器によれば、加熱調理器の加熱動作の開始／停止に合わせて換気扇のオン／オフを自動で切り換える換気連動機能を停止させるためのスイッチを設けているため、換気連動機能を備えた加熱調理器において、使用者は換気連動機能を動作させるか否かを決定することができる。よって、使い勝手がよくなる。
【発明を実施するための最良の形態】
【００１４】
以下、本発明の実施形態について、図面を参照して説明する。
【００１５】
《実施形態１》
１．１  誘導加熱調理器の構成
図１に、本発明の実施形態１の加熱調理器の構成を示す。本発明の実施形態１の加熱調理器は、トッププレート１上に載置された被加熱物１０を誘導加熱する誘導加熱調理器である。誘導加熱調理器は、機器本体の上方に設けられた換気扇７と赤外線通信を行って、換気扇７の動作を制御可能である。
【００１６】
本実施形態の誘導加熱調理器は、誘導加熱調理器の動作と連動して換気扇７の動作を制御する連動モード（「換気扇連動機能」が「入」の状態）と、換気扇の動作を誘導加熱調理器の動作と連動させない非連動モード（「換気扇連動機能」が「切」の状態）とを、動作モードとして備えている。具体的に、連動モードとは、誘導加熱調理器の加熱動作の開始及び停止に合わせて、換気扇７のオン・オフを自動的に行う動作モードである。非連動モードとは、誘導加熱調理器の加熱動作の開始及び停止に合わせて、換気扇７のオン・オフを自動的に行わない動作モードである。本実施形態の誘導加熱調理器は、使用者が、この連動モードと非連動モードとを切り替えることができるようにしている。
【００１７】
換気扇７は、ファン７１と、ファン７１を駆動するファン駆動部７２と、赤外線信号を受信する受信部７３とを有する。ファン駆動部７２は、受信部７３が受信した赤外線信号に基づいて、ファン７１の駆動・停止を制御する。
【００１８】
誘導加熱調理器は、機器上面に設けられたトッププレート１と、トッププレート１の下方に設けられて、トッププレート１に載置された被加熱物１０を誘導加熱する加熱部２と、を有する。トッププレート１は、ガラスなどの電気絶縁物からなり、赤外線を透過する。
【００１９】
加熱部２は、高周波電流を供給されることによって高周波磁界を発生する加熱コイル２１と、内蔵するスイッチング素子（図示せず）をオン／オフすることによって、高周波電流を生成し、生成した高周波電流を加熱コイル２１に供給するインバータ２２とを含む。被加熱物１０は、加熱コイル２１に対応させて、トッププレート１の上面に載置される。被加熱物１０は、加熱コイル２１が発生した高周波磁界によって生じた渦電流によって、発熱する。
【００２０】
トッププレート１の使用者側には、操作部５が設けられる。操作部５は、加熱の開始／停止を指示するための制御命令が割り当てられたスイッチ及び連動モード／非連動モードを切り替えるための制御命令が割り当てられたスイッチなどを含む（図２参照）。
【００２１】
誘導加熱調理器は、機器本体の前面に電源スイッチ８を有する。誘導加熱調理器は、電源スイッチ８がオン／オフされることによって、駆動／停止する。電源スイッチ８がオンされて誘導加熱調理器が駆動すると、操作部５の各スイッチの操作を受け付ける電源オンモードに移行する。電源スイッチ８がオフされて誘導加熱調理器の駆動が停止すると、操作部５の各スイッチの操作を受け付けない電源オフモードに移行する。誘導加熱調理器は、電源オフモードから電源オンモードに移行するとき、連動モードで動作を開始する。
【００２２】
トッププレート１の下方には、赤外線送信部６が設けられている。赤外線送信部６は、たとえば、赤外線信号を放射する発光ダイオードである。赤外線送信部６は、赤外線信号を、誘導加熱調理器の上方に設けられた換気扇７の受信部７３に照射することによって、換気扇７と赤外線通信を行う。
【００２３】
誘導加熱調理器は、誘導加熱調理器の動作を制御する制御部３をさらに有する。制御部３は、出力制御部３１と操作表示制御部３２とを含む。出力制御部３１は、操作部５から伝達される指示に基づいて、インバータ２２のスイッチング素子のオン／オフを制御することによって、インバータ２２から加熱コイル２１に供給される高周波電流を制御する。操作表示制御部３２は、電源スイッチ８のオン／オフに応じて、操作部５の操作の受け付け可否を制御する。また、操作表示制御部３２は、表示部４の表示方法と赤外線送信部６の赤外線信号の出力などを制御する。
【００２４】
図２（ａ）（ｂ）に操作部５を構成するスイッチ５ａ〜５ｆと表示部４の表示の具体例を示す。図２（ａ）は連動モード中の状態を示し、図２（ｂ）は非連動モード中の状態を示している。
【００２５】
表示部４は、連動モードと非連動モードの両方において、火力の大きさと、タイマーの残り時間などを表示する。また、表示部４は、連動モードと非連動モードの状態を、それぞれ「換気扇連動中」の文字の点灯（図２（ａ））と「換気扇非連動」の文字の点滅（図２（ｂ））によって示す。
【００２６】
スイッチ５ａ〜５ｆには、種々の制御命令が割り当てられている。例えば、スイッチ５ａは、加熱の開始及び停止を指示する制御命令が割り当てられた加熱切／入スイッチである。スイッチ５ｂ、５ｃは、火力を上げ下げする制御命令が割り当てられた火力設定スイッチである。スイッチ５ｄ、５ｅは、タイマーを設定する制御命令が割り当てられたタイマースイッチである。
【００２７】
スイッチ５ｆは、換気扇連動機能の切／入を指示する制御命令が割り当てられ換気連動切／入スイッチである。連動モード中に換気連動切／入スイッチ５ｆが操作されると非連動モードに移行し、非連動モード中に換気連動切／入スイッチ５ｆが操作されると連動モードに移行する。
【００２８】
１．２  誘導加熱調理器の動作
上記のように構成される本実施形態の誘導加熱調理器の動作について、以下に説明する。図３は、誘導加熱調理器の電源が投入されてから加熱を開始するまでの動作フローを示している。
【００２９】
電源スイッチ８が操作されて誘導加熱調理器の電源が投入されると、誘導加熱調理器は、操作部５の各スイッチ５ａ〜５ｆの操作を受け付ける電源オンモードに移行する。制御部３は、連動モードで動作を開始して（Ｓ３０１）、表示部４に換気扇７の動作が連動していることを示す「換気扇連動中」の文字を表示させる（Ｓ３０２）。
【００３０】
制御部３は、換気連動切／入スイッチ５ｆが操作されて、連動モードと非連動モードとの切り換えの制御命令が入力されたかどうかを判断する（Ｓ３０３）。連動モードと非連動モードとが切り換えられた場合は（Ｓ３０３でＹｅｓ）、連動モードと非連動モードを切り換えて、表示部４の表示を変更する（Ｓ３０４）。例えば、連動モードを動作中に、換気連動切／入スイッチ５ｆが操作されると、連動モードから非連動モードに切り換えて、表示部４に換気扇７の動作が連動していないことを示す「換気扇非連動」の文字を点滅させる。
【００３１】
制御部３は、加熱切／入スイッチ５ａが操作されることによって、加熱開始の制御命令が入力されたかどうかを判断する（Ｓ３０５）。加熱開始の制御命令が入力されていない場合は（Ｓ３０５でＮｏ）、ステップＳ３０３に戻る。加熱開始の制御命令が入力されると（Ｓ３０５でＹｅｓ）、制御部３は連動モードで動作しているかどうかを判断する（Ｓ３０６）。
【００３２】
連動モードで動作していれば（Ｓ３０６でＹｅｓ）、換気扇７をオンにしてから、加熱を開始する（Ｓ３０８）。具体的には、制御部３は、赤外線送信部６を制御して、換気扇７をオンする命令の赤外線信号を送信させる。この赤外線信号を受信部７３で受信した換気扇７のファン駆動部７２は、ファン７１の駆動を開始する。その後、制御部３は、インバータ２２を駆動して、加熱コイル２１に高周波電流を供給し始める。
【００３３】
非連動モードで動作していれば（Ｓ３０６でＮｏ）、制御部３は換気扇７をオンせずに、加熱コイル２１に高周波電流を供給し始めることにより、加熱を開始する（Ｓ３０８）。
【００３４】
このように、本実施形態においては、電源がオンされると連動モードで動作を開始する。その後、加熱開始時までに非連動モードに切り換えられない場合は、加熱開始時に換気扇７を自動でオンする。一方、使用者が加熱開始時までに非連動モードに切り換えた場合は、加熱開始時に換気扇７を自動でオンしない。
【００３５】
図４に、加熱を開始してから誘導加熱調理器の電源がオフされるまでの動作フローを示す。制御部３は、加熱中に、使用者により、換気連動切／入スイッチ５ｆが操作されて、連動モードと非連動モードとが切り替えられたかどうかを判断する（Ｓ４０１）。換気連動切／入スイッチ５ｆが操作されて、連動モードと非連動モードとの切り替えが指示された場合は（Ｓ４０１でＹｅｓ）、連動モードと非連動モードとを切り換えて、表示部４の「換気扇連動中」又は「換気扇非連動」の表示を変更する（Ｓ４０２）。
【００３６】
制御部３は、使用者により加熱切／入スイッチ５ａが操作されて、加熱終了の指示がされたかどうかを判断する（Ｓ４０３）。加熱終了の指示がされていなければ（Ｓ４０２でＮｏ）、ステップＳ４０１に戻り、加熱を継続する。加熱終了の指示がされると（Ｓ４０２でＹｅｓ）、制御部３は、連動モードで動作しているかどうかを判断する（Ｓ４０４）。
【００３７】
連動モードで動作していれば（Ｓ４０４でＹｅｓ）、制御部３は、加熱を停止するように、インバータ２２を制御する（Ｓ４０５）。さらに、制御部３は、加熱停止から所定時間経過後に、換気扇７をオフする命令の赤外線信号を送信するように赤外線送信部６を制御する。これによって、換気扇７を停止させる（Ｓ４０６）。加熱停止時に非連動モードで動作していれば（Ｓ４０４でＮｏ）、換気扇７への制御は行わず、加熱を停止する（Ｓ４０７）。
【００３８】
制御部３は、電源スイッチ８が操作されて、電源オフが指示されたかどうかを判断する（Ｓ４０８）。電源スイッチ８が操作されると（Ｓ４０８でＹｅｓ）、誘導加熱調理器は、操作部５の各スイッチ５ａ〜５ｆの操作を受け付けない電源オフモードに移行する。電源スイッチが操作されていない場合は（Ｓ４０８でＮｏ）、図３のＳ３０３に戻る。
【００３９】
このように、本実施形態においては、加熱開始後も使用者がいつでも連動モードと非連動モードとを切り換えることができるようにしている。よって、加熱停止時に連動モードで動作中の場合のみ、換気扇７を自動でオフする。加熱停止時に非連動モードであれば、換気扇７を自動でオフしない。
【００４０】
１．３  まとめ
本実施形態の誘導加熱調理器は、連動モードと非連動モードの両方を動作モードとして備え、且つ連動モードと非連動モードとを使用者が切り替えるための換気連動切／入スイッチ５ｆを設けている。そのため、電源オン時に誘導加熱調理器が連動モードで動作していても、使用者は、電源オン後、連動モードから非連動モードに任意に切り替えることができる。よって、使い勝手がよくなる。
【００４１】
１．４  変形例
なお、本実施形態においては、換気連動切／入スイッチ５ｆには、連動モードと非連動モードとを切り換える制御命令だけが割り当てられていたが、換気連動切／入スイッチ５ｆに追加の制御命令を割り当ててもよい。例えば、連動モードに切り換えられたときに換気扇７をオンする制御命令をさらに割り当てても良い。この場合における、加熱が開始されてから電源がオフされるまでの動作フローを図５に示す。図５は、ステップＳ５０３とＳ５０４を新たに追加した点で、図４と異なる。図５のステップＳ５０１、Ｓ５０２、Ｓ５０５〜Ｓ５１０は、図４のステップＳ４０１〜Ｓ４０８と同一であるため、説明を省略する。新たに追加したステップＳ５０３、Ｓ５０４について説明する。
【００４２】
加熱が開始された後、連動モードと非連動モードとが切り換えられると（Ｓ５０１、Ｓ５０２）、制御部３は、連動モードに切り換えられたかどうかを判断する（Ｓ５０３）。連動モードに切り換えられた場合は（Ｓ５０３でＹｅｓ）、赤外線送信部６に赤外線信号を出力させ、換気扇７をオンする（Ｓ５０４）。
【００４３】
図４においては、加熱中に連動モードと非連動モードとが切り換えられて（Ｓ４０１でＹｅｓ）、連動モードに移行しても、制御部３は換気扇７を自動でオンしない。この場合、既に換気扇７がオンしていなければ、使用者が換気扇７を直接オンしない限り、加熱中も換気扇７はオフのままである。しかし、換気連動切／入スイッチ５ｆに換気扇７をオンする制御命令を追加することで、図５においては、加熱中に、非連動モードから連動モードに切り換えられたときに、換気扇７を自動でオンすることができる。よって、使い勝手がさらによくなる。
【００４４】
なお、本実施形態においては、連動モードと非連動モードとを切り換えるためのスイッチとして、一つの換気連動切／入スイッチ５ｆを設けたが、連動モードに移行するための「換気連動入スイッチ」と、非連動モードに移行するための「換気連動切スイッチ」とを別々に設けても良い。
【００４５】
さらに、誘導加熱調理器は、連動モードで動作しているか、非連動モードで動作しているかを報知するための報知部を備えても良い。例えば、報知部は、音声ガイドを出力するスピーカや、ブザーである。
【００４６】
《実施形態２》
２．１  誘導加熱調理器の構成及び動作
本発明の実施形態２の誘導加熱調理器について説明する。図６に、本実施形態の誘導加熱調理器の構成を示す。実施形態１の誘導加熱調理器は、電源オン時は必ず連動モードで動作を開始したが、実施形態２の誘導加熱調理器は、電源オン時は、電源オフ前の動作モード（非連動モード又は連動モード）で動作する。これ以外の点について、実施形態２と実施形態１と同一である。
【００４７】
本実施形態の誘導加熱調理器は、電源オフ前の動作モードを記憶するための記憶部９をさらに有する。電源オフ前の動作モードは、換気扇連動情報９１として、記憶部９に格納される。制御部３は、電源スイッチ８が操作されて電源オフモードに移行するときに、換気扇連動情報９１を記憶部９に格納する。制御部３は、電源スイッチ８が操作されて電源オンモードに移行するときに、記憶部９から換気扇連動情報９１を読み出して、連動モードで動作するか、又は非連動モードで動作するかを決定する。本実施形態の誘導加熱調理器の構成は、記憶部９を追加したこと以外は、実施形態１の構成と同一である。
【００４８】
図７に、誘導加熱調理器の電源が投入されてから加熱を開始するまでの動作フローを示す。電源スイッチ８が操作されて、誘導加熱調理器の電源が投入されると、誘導加熱調理器は電源オンモードに移行する。制御部３は、換気扇連動情報９１を記憶部９から読み出して（Ｓ７０１）、換気扇連動情報９１が電源オフ前に連動モードで動作していたことを示しているかどうかを判断する（Ｓ７０２）。
【００４９】
換気扇連動情報９１が、電源オフ前に連動モードで動作していたことを示していれば（Ｓ７０２でＹｅｓ）、制御部３は連動モードで動作を開始し、換気扇７の動作が連動していることを示す「換気扇連動中」の文字を表示部４に点灯させる（Ｓ７０３）。換気扇連動情報９１が電源オフ前に非連動モードで動作していたことを示していれば（Ｓ７０２でＮｏ）、制御部３は非連動モードで動作を開始し、換気扇７の動作が連動していないことを示す「換気扇非連動」の文字を表示部４に点滅させる（Ｓ７０４）。このように、本実施形態においては、換気扇連動情報９１に基づいて、電源オン時の動作モードを決定する。
【００５０】
その後のステップＳ７０５〜Ｓ７１０は、図３のステップＳ３０３〜Ｓ３０８と同一であるため、説明を省略する。
【００５１】
図８に、加熱を開始してから誘導加熱調理器の電源がオフされるまでの動作フローを示す。図８のステップＳ８０１〜Ｓ８０８は、図４のステップＳ４０１〜Ｓ４０８と同一である。図８が図４と異なる点は、ステップ８０９が追加されたことである。ステップ８０９について説明する。
【００５２】
加熱が終了して、電源スイッチ８の操作により電源をオフする制御命令が入力されると（Ｓ８０８でＹｅｓ）、制御部３は、その時の動作モードを換気扇連動情報９１として記憶部９に書き込む（Ｓ８０９）。その後、誘導加熱調理器は電源オフモードに移行する。
【００５３】
このように、本実施形態では、電源オフ時の動作モードを換気扇連動情報９１として、記憶部９に書き込み、電源オン時に記憶部９に書き込まれている換気扇連動情報９１を読み出している。よって、電源オン時には、電源オフ時の動作モードと同じ動作モードで動作することができる。よって、使用者が決定した動作モードが電源オフ後も維持され、さらに使い勝手がよくなる。
【００５４】
２．２  変形例
なお、実施形態１においては、一度、連動モードから非連動モードに切り換えられると、その後、連動モードに戻されない限り、電源がオフされるまでの間は、非連動モードでの動作が継続するようにしていた。また、実施形態２においては、一度、連動モードから非連動モードに切り換えられると、その後、連動モードに戻されない限り、電源のオン／オフが切り換えられても、非連動モードでの動作が継続するようにしていた。しかし、上記実施形態１、２において、非連動モードで動作する時間を制限してもよい。例えば、非連動モードに切り替えてからの非連動モードで動作する時間を２４時間以内に限定してもいいし、タイマースイッチ５ｄ、５ｅで非連動モードに切り替えてから非連動モードで動作する時間を設定できるようにしてもよい。
【００５５】
なお、実施形態１の変形例は、実施形態２においても適用できる。すなわち、換気連動切／入スイッチ５ｆに換気扇７をオンする制御命令をさらに割り当ててもいい。連動モードに移行するための「換気連動入スイッチ」と、非連動モードに移行するための「換気連動切スイッチ」とを別々に設けても良い。また、報知部を備えても良い。
【００５６】
なお、実施形態１及び実施形態２においては誘導加熱調理器を例にして説明したが、本発明は、赤外線信号によって換気扇７を制御する機器であれば、他の加熱調理器にも適応できる。例えば、ガス加熱調理器や、ハロゲン調理器、ラジエント調理器などにも適用できる。
【産業上の利用可能性】
【００５７】
本発明の加熱調理器は、使用者が換気連動機能を動作させるか否かを決定することができるようにしているため、換気連動機能を備えた加熱調理器に有用である。
【図面の簡単な説明】
【００５８】
【図１】本発明の実施形態１の誘導加熱調理器の構成を示す図
【図２】（ａ）は、スイッチと連動モードにおける表示部の表示例とを示す図、（ｂ）は、スイッチと非連動モードにおける表示部の表示例とを示す図
【図３】実施形態１における電源オンから加熱開始までの動作を示すフローチャート
【図４】実施形態１における加熱開始から電源オフまでの動作を示すフローチャート
【図５】実施形態１における加熱開始から電源オフまでの他の動作を示すフローチャート
【図６】本発明の実施形態２の誘導加熱調理器の構成を示す図
【図７】実施形態２における電源オンから加熱開始までの動作を示すフローチャート
【図８】実施形態２における加熱開始から電源オフまでの動作を示すフローチャート
【符号の説明】
【００５９】
１    トッププレート
２    加熱部
３    制御部
４    表示部
５    操作部
６    赤外線送信部
７    換気扇
８    電源スイッチ
９    記憶部
１０  被加熱物
２１  加熱コイル
２２  インバータ
３１  出力制御部
３２  操作表示制御部
７１  ファン
７２  ファン駆動部
７３  受信部
【図１】
2009218107.tif 000003
【図２】
2009218107.tif 000004
【図３】
2009218107.tif 000005
【図４】
2009218107.tif 000006
【図５】
2009218107.tif 000007
【図６】
2009218107.tif 000008
【図７】
2009218107.tif 000009
【図８】
2009218107.tif 000010